(57)【要約】【課題】高精度な光量測定を高速に行うことを可能とする。【解決手段】基準となる所定のパルス幅に乗算する係数が設定されることにより照射光量が定まるＬＰＨ１４のＳＬＥＤ６３の各ＬＥＤの光量を計測するＴＤＩ−ＣＣＤ２６１は、ライン状に複数配列された受光素子（ＣＣＤ）が複数段配置され、その段数が、ＳＬＥＤ６３にて設定される係数の小数部に正の整数を乗算した場合に、乗算された積の小数部を０とする整数に設定されて構成され、ＴＤＩ−ＣＣＤ２６１の受光素子の各段の計測タイミングを設定する水平同期信号の周期を、ＳＬＥＤ６３の発光タイミングを設定する水平同期信号の周期の正の整数倍に設定する。【選択図】図１０
2008175756.tif 000002
【特許請求の範囲】
【請求項１】
ライン状に複数配列され、基準となる所定のパルス幅に乗算する係数が設定されることにより照射光量が定まる発光素子に対向して配置されて、当該発光素子各々の光量を計測する光量計測手段と、
前記発光素子各々の点灯を制御し、前記光量計測手段の計測動作を制御する制御手段とを備え、
前記光量計測手段は、ライン状に複数配列された受光素子が複数段配置されるとともに、当該段数が、前記発光素子にて設定される前記係数の小数部に正の整数を乗算した場合に、乗算された積の小数部を０とする当該整数に設定されて構成され、
前記制御手段は、前記光量計測手段の前記受光素子の各段の計測タイミングを設定する同期信号の周期を、前記発光素子の発光タイミングを設定する同期信号の周期の正の整数倍に設定することを特徴とする光量計測装置。
【請求項２】
前記光量計測手段は、当該光量計測手段の計測分解能をｓ、前記受光素子の各段の計測タイミングを設定する同期信号の周期をＴｃとして、前記発光素子に対する相対移動速度Ｓが、
Ｓ＝ｓ／Ｔｃ
に設定されたことを特徴とする請求項１記載の光量計測装置。
【請求項３】
前記光量計測手段は、前記所定のパルス幅をＢＡＳＥ、ａ、ｂを０または整数、Ｍを正の整数として、前記発光素子の照射光量がＢＡＳＥ×（ａ＋ｂ／Ｍ）にて設定される場合に、前記受光素子の段数が、Ｎを正の整数として、Ｍ×Ｎに設定されたことを特徴とする請求項１記載の光量計測装置。
【請求項４】
前記光量計測手段は、ライン状に複数配列された前記受光素子の各々にて計測された光量データが当該受光素子の移動方向後段に位置する受光素子に順次転送され、転送された当該光量データと転送された当該受光素子にて計測された光量データとが順次積算されることを特徴とする請求項１記載の光量計測装置。
【請求項５】
前記制御手段は、前記光量計測手段の前記受光素子の各段の計測タイミングを設定する同期信号と、前記発光素子の発光タイミングを設定する同期信号とを同期させて出力することを特徴とする請求項１記載の光量計測装置。
【請求項６】
ライン状に複数配列され、Ｎ段階(Ｎは正の整数)の補正量を設定することによって照射光量が定まる発光素子に対向して配置されて、当該発光素子各々の光量を計測する光量計測手段と、
前記発光素子各々の点灯を制御し、前記光量計測手段の計測動作を制御する制御手段とを備え、
前記光量計測手段は、ライン状に複数配列された受光素子が複数段配置されるとともに、当該段数が、前記Ｎの整数倍に設定されて構成され、
前記制御手段は、前記光量計測手段の前記受光素子の各段の計測タイミングを設定する同期信号の周期を、前記発光素子の発光タイミングを設定する同期信号の周期の正の整数倍に設定することを特徴とする光量計測装置。
【請求項７】
ライン状に配列された複数の発光素子と、
前記発光素子各々の光量を補正するための光量補正データを記憶した記憶手段と、
基準となる所定のパルス幅に乗算する係数を前記記憶手段に記憶された前記光量補正データに基づいて設定し、当該所定のパルス幅に当該係数が乗算された点灯パルス幅により、前記発光素子の光量を補正して発光させる駆動回路とを備え、
前記記憶手段は、記憶された前記光量補正データが、ライン状に複数配列された受光素子が複数段配置されるとともに、当該段数が、前記発光素子にて設定される前記係数の小数部に正の整数を乗算した場合に、乗算された積の小数部を０とする当該整数に設定されて構成された光量計測手段であって、かつ、当該受光素子の各段の計測タイミングを設定する同期信号の周期が、当該発光素子の発光タイミングを設定する同期信号の周期の整数倍に設定された当該光量計測手段により計測された光量に基づいて生成されたことを特徴とする露光装置。
【請求項８】
前記駆動回路は、前記発光素子にて設定された前記係数の小数部を当該発光素子に隣接する発光素子に繰り越すことを特徴とする請求項７記載の露光装置。
【請求項９】
前記駆動回路は、前記係数の小数部を前記発光素子について人間の視覚により濃度ムラが判別困難な範囲に隣接する発光素子に繰り越すことを特徴とする請求項８記載の露光装置。
【発明の詳細な説明】
【技術分野】
【０００１】
本発明は、光書き込みを行なう露光装置の光量を計測する光量計測装置等に関する。
【背景技術】
【０００２】
電子写真方式を用いたプリンタや複写機等の画像形成装置では、装置の小型化の要請から、感光体ドラム等の像保持体上を露光する露光装置として、ＬＥＤ等の発光素子を一列に配列した発光素子アレイと、各発光素子から出力された光を像保持体の表面に結像させるレンズアレイとからなるプリントヘッドを用いたものが提案されている。
このようなプリントヘッドでは、各発光素子間に発光光量のバラツキが存在すると、記録用紙上に形成される画像に濃度ムラを生じさせ、高品位な画像の形成を妨げる。特に、カラー画像を形成する際には、各色画像の濃度ムラによる色再現性の低下を招くこととなる。
【０００３】
そこで、従来より、光量計測装置を用いて、プリントヘッドの各発光素子から発光される光量の測定を行い、測定された各発光素子の光量分布に基づいて各発光素子に対する光量補正値を求めている（例えば、特許文献１参照）。そして、求められた光量補正値に基づいて、各発光素子の光量補正を行う。
【０００４】
その場合に、各発光素子毎の光量補正を高精度に行うためには、次のような方法が有効である。すなわち、各発光素子の光量を定める点灯パルス幅は、まず基準となる基準パルス幅を定めておき、各発光素子毎に光量補正値に基づいて定める整数値を基準パルス幅に積算することで設定する。その際に、光量補正値から生じる基準パルス幅の１単位に満たない小数点部分（これを「量子化誤差」という）が生じるが、この量子化誤差については次に点灯する発光素子に順に繰り越していき、それらを積算したものが「１」（基準パルス幅の１単位）となった時点で、その１単位を点灯パルス幅に加算させるという方法である（例えば、特許文献２参照）。このような方法を用いれば、量子化誤差が繰り越される所定数の発光素子から構成される領域毎に、光量補正値の分解能に対応した高精度な光量補正を行うことが可能となる。
【０００５】
【特許文献１】特開２００２−１２７４９２号公報（第７−９頁、図１６）
【特許文献２】特開２００２−３６６２８号公報（第７−８頁、図６）
【発明の開示】
【発明が解決しようとする課題】
【０００６】
ここで、一般に、光量補正値から生じる各発光素子毎の量子化誤差を有効に利用することで、高精度な光量補正を行うことができるが、そのためには、各発光素子毎に量子化誤差レベルでの高精度な光量補正値を求める必要がある。
しかしながら、量子化誤差は、基準パルス幅の１単位に満たない小数点部分であるため、量子化誤差分の点灯による光量は不安定なものとなる。そのため、安定した状態で量子化誤差分の光量を計測するには、量子化誤差分の光量が少なくとも基準パルス幅の１単位となる回数だけの発光をさせる必要がある。具体的には、例えば量子化誤差が１／１２８であれば１２８×Ｎ回（Ｎ：正の整数）だけ発光素子を発光させ、量子化誤差分の光量が基準パルス幅の少なくとも１単位に積算された状態で光量計測を行う必要がある。その結果、１つの露光装置当たりの計測時間が長くなり、生産性の低下を招くという問題があった。
【０００７】
そこで本発明は、以上のような技術的課題を解決するためになされたものであり、その目的とするところは、高精度な光量測定を高速に行うことを可能とすることにある。
【課題を解決するための手段】
【０００８】
かかる目的のもと、本発明の露光装置の光量計測装置は、ライン状に複数配列され、基準となる所定のパルス幅に乗算する係数が設定されることにより照射光量が定まる発光素子に対向して配置されて、発光素子各々の光量を計測する光量計測手段と、発光素子各々の点灯を制御し、光量計測手段の計測動作を制御する制御手段とを備え、光量計測手段は、ライン状に複数配列された受光素子が複数段配置されるとともに、かかる段数が、発光素子にて設定される係数の小数部に正の整数を乗算した場合に、乗算された積の小数部を０とする整数に設定されて構成され、制御手段は、光量計測手段の受光素子の各段の計測タイミングを設定する同期信号の周期を、発光素子の発光タイミングを設定する同期信号の周期の正の整数倍に設定することを特徴としている。
【０００９】
ここで、光量計測手段は、光量計測手段の計測分解能をｓ、受光素子の各段の計測タイミングを設定する同期信号の周期をＴｃとして、発光素子に対する相対移動速度Ｓが、Ｓ＝ｓ／Ｔｃに設定されたことを特徴とすることができる。また、光量計測手段は、上記した所定のパルス幅をＢＡＳＥ、ａ、ｂを０または整数、Ｍを正の整数として、発光素子の照射光量がＢＡＳＥ×（ａ＋ｂ／Ｍ）にて設定される場合に、受光素子の段数が、Ｎを正の整数として、Ｍ×Ｎに設定されたことを特徴とすることができる。さらには、光量計測手段は、ライン状に複数配列された受光素子の各々にて計測された光量データが受光素子の移動方向後段に位置する受光素子に順次転送され、転送された光量データと転送された受光素子にて計測された光量データとが順次積算されることを特徴とすることができる。
また、制御手段は、光量計測手段の受光素子の各段の計測タイミングを設定する同期信号と、発光素子の発光タイミングを設定する同期信号とを同期させて出力することを特徴とすることもできる。
【００１０】
本発明の露光装置の光量計測装置は、ライン状に複数配列され、Ｎ段階(Ｎは正の整数)の補正量を設定することによって照射光量が定まる発光素子に対向して配置されて、発光素子各々の光量を計測する光量計測手段と、発光素子各々の点灯を制御し、光量計測手段の計測動作を制御する制御手段とを備え、光量計測手段は、ライン状に複数配列された受光素子が複数段配置されるとともに、段数が、Ｎの整数倍に設定されて構成され、制御手段は、光量計測手段の受光素子の各段の計測タイミングを設定する同期信号の周期を、発光素子の発光タイミングを設定する同期信号の周期の正の整数倍に設定することを特徴としている。
【００１１】
また、本発明を露光装置として捉え、本発明の露光装置は、ライン状に配列された複数の発光素子と、発光素子各々の光量を補正するための光量補正データを記憶した記憶手段と、基準となる所定のパルス幅に乗算する係数を記憶手段に記憶された光量補正データに基づいて設定し、上記した所定のパルス幅にかかる係数が乗算された点灯パルス幅により、発光素子の光量を補正して発光させる駆動回路とを備え、記憶手段は、記憶された光量補正データが、ライン状に複数配列された受光素子が複数段配置されるとともに、段数が、発光素子にて設定される係数の小数部に正の整数を乗算した場合に、乗算された積の小数部を０とする整数に設定されて構成された光量計測手段であって、かつ、受光素子の各段の計測タイミングを設定する同期信号の周期が、発光素子の発光タイミングを設定する同期信号の周期の整数倍に設定された光量計測手段により計測された光量に基づいて生成されたことを特徴としている。
【００１２】
ここで、駆動回路は、発光素子にて設定された係数の小数部を発光素子に隣接する発光素子に繰り越すことを特徴とすることができる。特に、駆動回路は、係数の小数部を発光素子について人間の視覚により濃度ムラが判別困難な範囲に隣接する発光素子に繰り越すことを特徴とすることができる。
【発明の効果】
【００１３】
本発明の請求項１によれば、高精度な光量測定を高速に行うことが可能となる。
また、本発明の請求項２によれば、光量を計測領域に重複が生じることなく計測することができ、計測時間の短縮化をさらに図ることが可能となる。
また、本発明の請求項３によれば、光量補正データの分解能に対応した高精度な光量計測が可能となる。
【００１４】
また、本発明の請求項４によれば、光量計測手段の１回の走査で、複数段で計測された光量の積算値を計測することが可能となり、測定時間のさらなる短縮化を図ることができる。
また、本発明の請求項５によれば、光量計測手段の各段での照射光量が均一となり、正確な光量計測が可能となる。
【００１５】
本発明の請求項６によれば、高精度な光量測定を高速に行うことが可能となる。
また、本発明の請求項７によれば、高精度に光量補正された光量での露光を行うことが可能となる。
また、本発明の請求項８によれば、量子化誤差を繰り越して光量補正を行う方式の露光装置において、量子化誤差と同等レベルで計測された光量に基づいて生成された光量補正データにより、高い精度の光量補正を行うことが可能となる。
また、本発明の請求項９によれば、人間の視覚に判別困難な程度の範囲にて光量補正された光量での露光を行うことが可能となる。
【発明を実施するための最良の形態】
【００１６】
以下、添付図面を参照して、本発明の実施の形態について詳細に説明する。
図１は本実施の形態の露光装置の一例であるプリントヘッドが用いられた画像形成装置の全体構成を示した図である。図１に示す画像形成装置は、所謂タンデム型のデジタルカラープリンタであり、各色の画像データに対応して画像形成を行う画像形成部としての画像形成プロセス部１０、画像形成装置の動作を制御する制御部３０、例えばパーソナルコンピュータ（ＰＣ）２や画像読取装置３等の外部装置に接続され、これらから受信された画像データに対して所定の画像処理を施す画像処理部４０を備えている。
【００１７】
画像形成プロセス部１０は、一定の間隔を置いて並列的に配置される４つの画像形成ユニット１１Ｙ,１１Ｍ,１１Ｃ,１１Ｋ（以下、総称して単に「画像形成ユニット１１」とも記す）を備えている。各画像形成ユニット１１は、静電潜像を形成してトナー像を保持する像保持体としての感光体ドラム１２、感光体ドラム１２の表面を所定電位で一様に帯電する帯電器１３、帯電器１３によって帯電された感光体ドラム１２を露光する露光装置としてのＬＥＤプリントヘッド（ＬＰＨ）１４、ＬＰＨ１４によって得られた静電潜像を現像する現像器１５、転写後の感光体ドラム１２表面を清掃するクリーナ１６を備えている。
ここで、各画像形成ユニット１１は、現像器１５に収納されたトナーを除いて、略同様に構成されている。そして、各画像形成ユニット１１は、それぞれがイエロー（Ｙ）、マゼンタ（Ｍ）、シアン（Ｃ）、黒（Ｋ）のトナー像を形成する。
【００１８】
また、画像形成プロセス部１０は、各画像形成ユニット１１の感光体ドラム１２にて形成された各色のトナー像が多重転写される中間転写ベルト２１、各画像形成ユニット１１の各色トナー像を中間転写ベルト２１に順次転写（一次転写）させる一次転写ロール２２、中間転写ベルト２１上に転写された重畳トナー像を記録材（記録紙）である用紙Ｐに一括転写（二次転写）させる二次転写ロール２３、二次転写された画像を用紙Ｐ上に定着させる定着器２５を備えている。
【００１９】
本実施の形態の画像形成装置では、画像形成プロセス部１０は、制御部３０から供給された同期信号等の制御信号に基づいて画像形成動作を行う。その際に、ＰＣ２や画像読取装置３から入力された画像データは、画像処理部４０によって画像処理が施され、インターフェースを介して各画像形成ユニット１１に供給される。そして、例えばイエローの画像形成ユニット１１Ｙでは、帯電器１３により所定電位で一様に帯電された感光体ドラム１２の表面が、画像処理部４０から得られた画像データに基づいて発光するＬＰＨ１４により露光されて、感光体ドラム１２上に静電潜像が形成される。形成された静電潜像は現像器１５により現像され、感光体ドラム１２上にはイエローのトナー像が形成される。同様に、画像形成ユニット１１Ｍ,１１Ｃ,１１Ｋにおいても、マゼンタ、シアン、黒の各色トナー像が形成される。
【００２０】
各画像形成ユニット１１で形成された各色トナー像は、図１の矢印Ａ方向に回動する中間転写ベルト２１上に、一次転写ロール２２により順次静電吸引され、中間転写ベルト２１上に重畳されたトナー像が形成される。重畳トナー像は、中間転写ベルト２１の移動に伴って二次転写ロール２３が配設された領域（二次転写部）に搬送される。重畳トナー像が二次転写部に搬送されると、トナー像が二次転写部に搬送されるタイミングに合わせて用紙Ｐが二次転写部に供給される。そして、二次転写部にて二次転写ロール２３により形成される転写電界により、重畳トナー像は搬送されてきた用紙Ｐ上に一括して静電転写される。
その後、重畳トナー像が静電転写された用紙Ｐは、中間転写ベルト２１から剥離され、搬送ベルト２４により定着器２５まで搬送される。定着器２５に搬送された用紙Ｐ上の未定着トナー像は、定着器２５によって熱および圧力による定着処理を受けることで用紙Ｐ上に定着される。そして定着画像が形成された用紙Ｐは、画像形成装置の排出部に設けられた排紙載置部（不図示）に搬送される。
【００２１】
図２は、露光装置であるＬＥＤプリントヘッド(ＬＰＨ)１４の構成を示した図である。図２において、ＬＰＨ１４は、支持体としてのハウジング６１、発光部を構成する自己走査型ＬＥＤアレイ（ＳＬＥＤ）６３、ＳＬＥＤ６３やＳＬＥＤ６３を駆動する信号発生回路１００（後段の図３参照）等を搭載するＬＥＤ回路基板６２、ＳＬＥＤ６３からの光を感光体ドラム１２表面に結像させる光学部材であるロッドレンズアレイ６４、ロッドレンズアレイ６４を支持するとともにＳＬＥＤ６３を外部から遮蔽するホルダー６５、ハウジング６１をロッドレンズアレイ６４方向に加圧する板バネ６６を備えている。
【００２２】
ハウジング６１は、アルミニウム、ＳＵＳ等のブロックまたは板金で形成され、ＬＥＤ回路基板６２を支持している。また、ホルダー６５は、ハウジング６１およびロッドレンズアレイ６４を支持し、ＳＬＥＤ６３の発光点とロッドレンズアレイ６４の焦点とが一致するように設定している。さらに、ホルダー６５はＳＬＥＤ６３を密閉するように構成されている。それにより、ＳＬＥＤ６３に外部からゴミが付着することを防いでいる。一方、板バネ６６は、ＳＬＥＤ６３およびロッドレンズアレイ６４の位置関係を保持するように、ハウジング６１を介してＬＥＤ回路基板６２をロッドレンズアレイ６４方向に加圧している。
このように構成されたＬＰＨ１４は、調整ネジ（図示せず）によってロッドレンズアレイ６４の光軸方向に移動可能に構成され、ロッドレンズアレイ６４の結像位置(焦点面)が感光体ドラム１２表面上に位置するように調整される。
【００２３】
ＬＥＤ回路基板６２には、図３（ＬＥＤ回路基板６２の平面図）に示したように、例えば５８個のＳＬＥＤチップ（ＣＨＩＰ１〜ＣＨＩＰ５８）からなるＳＬＥＤ６３が、感光体ドラム１２の軸線方向と平行になるように精度良くライン状に配置されている。この場合、各ＳＬＥＤチップ（ＣＨＩＰ１〜ＣＨＩＰ５８）に配置された発光素子（ＬＥＤ）の配列（ＬＥＤアレイ）の端部境界において、各ＬＥＤアレイがＳＬＥＤチップ同士の連結部で連続的に配列されるように、ＳＬＥＤチップは交互に千鳥状に配置されている。
また、ＬＥＤ回路基板６２には、ＳＬＥＤ６３を駆動する信号（駆動信号）を出力する信号発生回路１００およびレベルシフト回路１０４、電源電圧を出力する３端子レギュレータ１０１、ＳＬＥＤ６３の光量補正データ等を記憶するＥＥＰＲＯＭ１０２、画像形成装置本体との間で信号の送受信を行うハーネス１０３が備えられている。
【００２４】
ここで、図４は、ＬＥＤ回路基板６２上に形成されている配線の一部を示した図である。図４に示したように、ＬＥＤ回路基板６２上には、３端子レギュレータ１０１から各ＳＬＥＤチップに電力を供給する＋３．３Ｖの電源ライン１０５および接地（ＧＮＤ）された電源ライン１０６、信号発生回路１００から各ＳＬＥＤチップに対して画像処理部４０からの画像データに対応した点灯信号ΦＩ（ΦＩ１〜ΦＩ５８）を送信する信号ライン１０７（１０７_１〜１０７_５８）、さらには、各ＳＬＥＤチップの各発光点を順次点灯可能状態に遷移させる転送信号ＣＫ１（ＣＫ１_１〜１_６）および転送信号ＣＫ２（ＣＫ２_１〜２_６）をそれぞれ送信する信号ライン１０８（１０８_１〜１０８_６）および信号ライン１０９（１０９_１〜１０９_６）が配線されている。
そして、各ＳＬＥＤチップ（ＣＨＩＰ１〜ＣＨＩＰ５８）には、信号ライン１０７を介して、ＣＨＩＰ１〜ＣＨＩＰ５８に対する点灯信号ΦＩが入力される。また、信号ライン１０８を介して転送信号ＣＫ１（ＣＫ１_１〜１_６）、信号ライン１０９を介して転送信号ＣＫ２（ＣＫ２_１〜２_６）がそれぞれＣＨＩＰ１〜ＣＨＩＰ５８に入力される。
【００２５】
続いて、ＬＥＤ回路基板６２に設けられた信号発生回路１００について説明する。
図５は、信号発生回路１００の構成を示すブロック図である。信号発生回路１００は、画像データ展開部１１０、濃度ムラ補正データ部１１２、タイミング信号発生部１１４、基準クロック発生部１１６、各ＳＬＥＤチップ（ＣＨＩＰ１〜ＣＨＩＰ５８）に対応して設けられた点灯時間制御・駆動部１１８−１〜１１８−５８により主要部が構成されている。
画像データ展開部１１０には、画像処理部（ＩＰＳ）４０から画像データがシリアルに送信される。画像データ展開部１１０は、送信された画像データを１〜１２８ドット目、１２９〜２５６ドット目、…、７２９７〜７４２４ドット目と各ＳＬＥＤチップ（ＣＨＩＰ１〜ＣＨＩＰ５８）毎の画像データに分割する。画像データ展開部１１０は点灯時間制御・駆動部１１８−１〜１１８−５８と接続されており、分割した画像データを各々対応する点灯時間制御・駆動部１１８−１〜１１８−５８に出力する。
【００２６】
濃度ムラ補正データ部１１２は、ＳＬＥＤ６３内の各ＬＥＤ毎の出射光量のバラツキ等を修正するための濃度ムラ補正データＣｏｒｒが記憶されている。そして、タイミング信号発生部１１４からのデータ読み出し信号に同期して、濃度ムラ補正データＣｏｒｒを点灯時間制御・駆動部１１８−１〜１１８−５８に出力する。この濃度ムラ補正データＣｏｒｒは、各ＬＥＤ毎に設定されたデータであって、本実施の形態では８ビット（０〜２５５）のデータとして形成される。
ＥＥＰＲＯＭ１０２には、後段で説明する光プロファイル測定装置２００により測定され、算出された各ＬＥＤ毎の光量補正データＣｏｒｒ_Ｉや、必要に応じて、その他の濃度ムラ補正のためのデータが格納されている。そして、マシン電源投入時に、ＥＥＰＲＯＭ１０２から濃度ムラ補正データ部１１２に対して、各ＬＥＤ毎の光量補正データＣｏｒｒ_Ｉ等がダウンロードされる。濃度ムラ補正データ部１１２は、取得した各ＬＥＤ毎の光量補正データＣｏｒｒ_Ｉに基づいて、さらには、必要に応じて光量補正データＣｏｒｒ_Ｉとその他のデータとに基づいて、濃度ムラ補正データＣｏｒｒを生成し、それを点灯時間制御・駆動部１１８−１〜１１８−５８に出力する。
【００２７】
基準クロック発生部１１６は、本体の制御部３０、タイミング信号発生部１１４、および点灯時間制御・駆動部１１８−１〜１１８−５８と接続されている。
図６（基準クロック発生部１１６の構成を説明するブロック図）に示したように、基準クロック発生部１１６は、水晶発振器１４０、分周器１／Ｍ１４２、分周器１／Ｎ１４４、位相比較器１４６、および電圧制御発振器１４８からなるＰＬＬ回路１３４と、ルックアップテーブル（ＬＵＴ）１３２とを含んで構成されている。ＬＵＴ１３２には制御部３０からの光量調節データに基づいて分周比Ｍ、Ｎを決定するためのテーブルが記憶されている。水晶発振器１４０は分周器１／Ｎ１４４と接続されており、所定の周波数で発振し、発振した信号を分周器１／Ｎ１４４へと出力する。分周器１／Ｎ１４４はＬＵＴ１３２および位相比較器１４６と接続されており、ＬＵＴ１３２からの光量調節データにより決定された分周比Ｎに基づいて水晶発振器１４０で発振された信号を分周する。位相比較器１４６は、分周器１／Ｍ１４２、分周器１／Ｎ１４４、および電圧制御発振器１４８と接続されており、分周器１／Ｍ１４２からの出力信号と、分周器１／Ｎ１４４からの出力信号とを比較する。この位相比較器１４６による比較結果（位相差）に応じて、電圧制御発振器１４８に供給するコントロール電圧が制御される。電圧制御発振器１４８はコントロール電圧に基づく周波数で、クロック信号を出力する。本実施の形態では、点灯可能期間を２５６に分割する周波数に相当するコントロール電圧が供給され、この周波数のクロック信号（基準クロック信号）を生成して、タイミング信号発生部１１４とすべての点灯時間制御・駆動部１１８−１〜１１８−５８とに出力する。また、電圧制御発振器１４８は分周器１／Ｍ１４２とも接続されており、電圧制御発振器１４８から出力されたクロック信号は、分周器１／Ｍ１４２にも分岐されて入力される。分周器１／Ｍ１４２は、ＬＵＴ１３２からの光量調節データにより決定された分周比Ｍに基づいて、電圧制御発振器１４８からフィードバックされたクロック信号を分周する。
【００２８】
タイミング信号発生部１１４は、制御部３０および基準クロック発生部１１６と接続されており、基準クロック発生部１１６からの基準クロック信号を基に、制御部３０からの水平同期信号（ＨＳＹＮＣ）と同期して、転送信号ＣＫ１Ｒ,ＣＫ１Ｃおよび転送信号ＣＫ２Ｒ,ＣＫ２Ｃを生成する。転送信号ＣＫ１Ｒ,ＣＫ１Ｃおよび転送信号ＣＫ２Ｒ,ＣＫ２Ｃは、レベルシフト回路１０４を介することにより転送信号ＣＫ１および転送信号ＣＫ２となってＬＰＨ１４に出力される。
また、タイミング信号発生部１１４は、濃度ムラ補正データ部１１２および画像データ展開部１１０と接続されており、基準クロック発生部１１６からの基準クロック信号を基に、制御部３０からのＨＳＹＮＣ信号と同期して、画像データ展開部１１０から各画素に対応した画像データを読み出すためのデータ読み出し信号、および濃度ムラ補正データ部１１２から各画素（各ＬＥＤ）に対応した濃度ムラ補正データを読み出すためのデータ読み出し信号を各々に対して出力している。さらに、タイミング信号発生部１１４は、点灯時間制御・駆動部１１８−１〜１１８−５８とも接続されており、基準クロック発生部１１６からの基準クロック信号を基に、ＳＬＥＤ６３の点灯開始のトリガ信号（ＴＲＧ）を出力している。
【００２９】
点灯時間制御・駆動部１１８−１〜１１８−５８は、各画素（各ＬＥＤ）の点灯時間を濃度ムラ補正データＣｏｒｒに基づいて補正し、ＳＬＥＤ６３の各画素を点灯するための制御信号ＣＫＩ（＝点灯信号ΦＩ）を生成する。
具体的には、点灯時間制御・駆動部１１８−１〜１１８−５８は、図７（点灯時間制御・駆動部１１８の構成を説明するブロック図）に示したように、プリセッタブルデジタルワンショットマルチバイブレータ（ＰＤＯＭＶ）１６０、直線性補正部１６２、ＡＮＤ回路１７０、補正演算部１８０を含んで構成されている。ＡＮＤ回路１７０は、画像データ展開部１１０およびタイミング信号発生部１１４と接続されており、画像データ展開部１１０からの画像データが１（ＯＮ）の場合には、タイミング信号発生部１１４からのトリガ信号（ＴＲＧ）をＰＤＯＭＶ１６０に出力し、画像データが０（ＯＦＦ）の場合には、トリガ信号（ＴＲＧ）を出力しないように設定されている。
【００３０】
補正演算部１８０は、濃度ムラ補正データＣｏｒｒおよび画像データが入力され、濃度ムラ補正データＣｏｒｒと近傍画素から繰り越された量子化誤差（後段参照）とに基づいて算出された濃度ムラ補正量を表すデータ信号を生成する。そして、補正演算部１８０にて生成されたデータ信号は、ＰＤＯＭＶ１６０（ＳＥＴＤＡＴＡ端子）に入力される。
本実施の形態の補正演算部１８０においては、補正精度は４ビット（０〜１５）に設定され、各画素について８ビットの濃度ムラ補正データＣｏｒｒのうちの上位４ビット分に相当する補正量による補正を行う。また、補正分解能よりも高い分解能の補正量、すなわち残りの下位４ビット分の補正量（これを「量子化誤差」という）については、近傍の画素に繰り越す補正量として扱う（後段参照）。
【００３１】
ＰＤＯＭＶ１６０は、ＡＮＤ回路１７０、補正演算部１８０、基準クロック発生部１１６、および直線性補正部１６２と接続されており、ＡＮＤ回路１７０からのトリガ信号（ＴＲＧ）に同期して、補正演算部１８０から出力されたデータ信号に応じたクロック数の点灯パルス信号を発生する。
【００３２】
直線性補正部１６２は、ＳＬＥＤ６３内の各ＬＥＤでの発光開始時間のバラツキを補正するために、ＰＤＯＭＶ１６０からの点灯パルス信号を補正して出力する。具体的には、直線性補正部１６２は、複数の遅延回路１６４（本実施の形態では、１６４−０〜１６４−７の８個）、遅延選択レジスタ１６６、遅延信号選択部１６５、ＡＮＤ回路１６７、ＯＲ回路１６８、点灯信号選択部１６９を含んで構成されている。遅延回路１６４−０〜１６４−７は、ＰＤＯＭＶ１６０と接続されており、各々がＰＤＯＭＶ１６０からの点灯パルス信号を遅延させるための異なる時間が設定されている。遅延選択レジスタ１６６は遅延信号選択部１６５および点灯信号選択部１６９と接続されており、遅延選択レジスタ１６６には、ＳＬＥＤ６３内の各ＬＥＤ毎の遅延選択データ、および点灯信号選択データが格納されている。各ＬＥＤ毎の遅延選択データおよび点灯信号選択データは予め計測され、ＥＥＰＲＯＭ１０２に格納されている。ＥＥＰＲＯＭ１０２に格納された遅延選択データおよび点灯信号選択データは、マシン電源投入時に遅延選択レジスタ１６６にダウンロードされる。なお、格納手段としてフラッシュＲＯＭを用いることもでき、その場合には、フラッシュＲＯＭ自体を遅延選択レジスタ１６６として機能させることができる。
【００３３】
遅延信号選択部１６５は、ＡＮＤ回路１６７およびＯＲ回路１６８と接続されており、遅延選択レジスタ１６６に格納された遅延選択データに基づいて、遅延回路１６４−０〜１６４−７からの出力のいずれか１つを選択する。ＡＮＤ回路１６７は、ＰＤＯＭＶ１６０からの点灯パルス信号と遅延信号選択部１６５により選択された遅延点灯パルス信号の論理積、すなわち、遅延前の点灯パルス信号と遅延後の点灯パルス信号の両方が点灯状態であれば点灯パルスを出力する。ＯＲ回路１６８は、ＰＤＯＭＶ１６０からの点灯パルス信号と遅延信号選択部１６５により選択された遅延点灯パルス信号の論理和、すなわち、遅延前の点灯パルス信号と遅延後の点灯パルス信号の少なくとも一方が点灯状態であれば点灯パルスを出力する。
点灯信号選択部１６９は、遅延選択レジスタ１６６に格納された点灯選択データに基づいて、ＡＮＤ回路１６７またはＯＲ回路１６８からの出力のいずれか一方を選択する。そして、選択された点灯パルス信号が制御信号ＣＫＩとしてＭＯＳＦＥＴ１７２を介してＬＰＨ１６へと出力される。
【００３４】
なお、図５に示したように、ＬＰＨ１４には３端子レギュレータ１０１が接続され、ＬＰＨ１４に対して３端子レギュレータ１０１から安定した＋３．３Ｖの電圧が供給されている。
【００３５】
ここで、本実施の形態の点灯時間制御・駆動部１１８−１〜１１８−５８に配置された補正演算部１８０について説明する。
本実施の形態の補正演算部１８０は、図８（補正演算部１８０の構成を説明するブロック図）に示したように、ＡＮＤ回路１８１、量子化誤差繰越用メモリ１８２、加算器１８３、バッファ１８４を含んで構成されている。なお、以下では、各部に入力されるデータ信号のビットを［ｎ：ｍ］で記した。すなわち、例えば［７：０］で記した場合には、０ビット目から７ビット目までの信号を表している。
【００３６】
補正演算部１８０では、入力された濃度ムラ補正データＣｏｒｒは、ＡＮＤ回路１８１に送られる。また、入力された画像データは、ＡＮＤ回路１８１およびバッファ１８４に送られる。そして、ＡＮＤ回路１８１は、入力された濃度ムラ補正データＣｏｒｒ（８ビット）と画像データ（１ビット）とをＡＮＤ演算し、演算結果として８ビットのデータ信号［７：０］を出力する。すなわち、画像データが１（ＯＮ）の場合には、濃度ムラ補正データＣｏｒｒの値が演算結果として生成され、画像データが０（ＯＦＦ）の場合には、“０”が演算結果として生成される。このデータ信号［７：０］は、後段の加算器１８３に入力される。
【００３７】
加算器１８３には、ＡＮＤ回路１８１からのデータ信号［７：０］と、量子化誤差繰越用メモリ１８２からの、繰り越された量子化誤差を表す４ビットの量子化誤差データ［３：０］とが入力される。そして、加算器１８３は、ＡＮＤ回路１８１および量子化誤差繰越用メモリ１８２から入力されたデータ信号を加算し、演算結果として８ビットのデータ信号Ｙ０［７：０］を生成する。
加算器１８３では、８ビットのデータ信号Ｙ０［７：０］は、上位４ビットであるデータ信号Ｙ１［７：４］と、下位４ビットであるデータ信号Ｙ２［３：０］とに分割されて生成される。そして、データ信号Ｙ１［７：４］およびデータ信号Ｙ２［３：０］の各々は、データ信号Ｙ１［７：４］用の信号線と、データ信号Ｙ２［３：０］用の信号線とに分かれて出力される。データ信号Ｙ１［７：４］用の信号線は、バッファ１８４によりタイミングを合わせて出力された画像データ（１ビット）を表すデータ信号の信号線と合流され、データ信号Ｙ１［７：４］に画像データが最上位の５ビット目として合成されたデータ信号Ｙ［８：４］が生成される。そして、生成されたデータ信号Ｙ［８：４］が新たな濃度ムラ補正データＣｏｒｒ_Ｍとして補正演算部１８０から出力される。すなわち、５ビットのデータ信号Ｙ［８：４］のうちの上位１ビットは画像データを表し、下位４ビットは濃度ムラ補正データと近傍画素から繰り越された量子化誤差とに基づいて算出された濃度ムラ補正データＣｏｒｒ_Ｍを表している。
【００３８】
一方、下位４ビットのデータ信号Ｙ２［３：０］用の信号線は、量子化誤差繰越用メモリ１８２に接続されており、データ信号Ｙ２［３：０］、すなわち量子化誤差は、近傍の画素への繰越量として量子化誤差繰越用メモリ１８２に記憶される。
ここで、データ信号Ｙ２［３：０］の近傍画素への繰り越しは、量子化誤差繰越用メモリ１８２にデータを入出力する際のアドレス制御により定めることができる。すなわち、ＬＰＨ１４のＳＬＥＤ６３の各画素（ＬＥＤ）を点灯するための制御信号ＣＫＩを生成する際に、補正演算部１８０にて量子化誤差繰越用メモリ１８２のアクセスアドレスを定める（アドレス制御）。そして、量子化誤差繰越用メモリ１８２から点灯対象の画素（ＬＥＤ）に対して繰り越された量子化誤差を読み出し、濃度ムラ補正データＣｏｒｒと量子化誤差とに基づいて、点灯対象の画素の点灯パルス幅を補正する濃度ムラ補正データＣｏｒｒ_Ｍ（Ｙ［８：４］の下位４ビット）を生成する。
【００３９】
そして、その場合に補正演算部１８０の補正分解能（４ビット）よりも濃度ムラ補正データＣｏｒｒ（８ビット）の分解能の方が高いため、点灯パルス幅の補正により、補正演算部１８０で補正しきれずに残った量子化誤差については、近傍の画素へ繰り越す量子化誤差として量子化誤差繰越用メモリ１８２に記憶される。
このように、本実施の形態のＬＰＨ１４では、補正演算部１８０の補正分解能（４ビット）が、濃度ムラ補正データの分解能（８ビット）よりも小さくても、補正しきれない分は量子化誤差として近傍の画素へ繰り越され、それによる光量補正が行われる。そのため、量子化誤差が繰り越される画素の領域毎に、濃度ムラ補正データＣｏｒｒの分解能を維持した高精度な光量補正が可能となる。
【００４０】
ＰＤＯＭＶ１６０では、ＡＮＤ回路１７０からのトリガ信号(ＴＲＧ)に同期して、補正演算部１８０にて生成された濃度ムラ補正データＣｏｒｒ_Ｍに応じて補正されたクロック数の点灯パルス信号を発生して、直線性補正部１６２に出力する。そして、直線性補正部１６２において遅延選択データＯｆｆｓｅｔによるオフセット補正が行われる。
具体的には、本実施の形態の点灯時間制御・駆動部１１８−１〜１１８−５８では、次の（１）式に示したように、各ＬＥＤの点灯パルス幅を濃度ムラ補正データＣｏｒｒ_Ｍおよび遅延選択データＯｆｆｓｅｔに基づいて点灯パルス幅を設定することで、画像形成装置で使用される点灯パルス幅領域での光量特性を目標光量特性と略一致させて、ＬＰＨ１４に出力している。
点灯パルス幅＝ＢＡＳＥ・（１＋Ｃｏｒｒ_Ｍ／１２８）＋Ｏｆｆｓｅｔ  ……（１）
なお、（１）式において、「ＢＡＳＥ」はＬＥＤの光量を設定する基準となる基準パルス幅である。また、本実施の形態の濃度ムラ補正データＣｏｒｒ_Ｍは８ビットデータ（０〜２５５）の濃度ムラ補正データＣｏｒｒの上位４ビットで構成されるものであることから、（１）式では、濃度ムラ補正に関する光量補正幅を最大補正値／最小補正値＝３に設定した場合を示している。
このように、（１）式により点灯パルス幅が設定されることで、画像形成装置で使用される点灯パルス幅領域での光量特性は目標光量特性と略一致することとなり、使用パルス幅領域でのＬＥＤの光量は所定の範囲内に収まるように設定される。
【００４１】
一方、量子化誤差は、量子化誤差繰越用メモリ１８２に一旦記憶されるが、上記したように、近傍の画素へ繰り越される。
ここで、図９は、量子化誤差が近傍の画素へ繰り越される形態の一例を示した図である。図９では、ＬＰＨ１４のＳＬＥＤチップ６３における主走査方向に配列されたＬＥＤを順にＬＥＤ（１）,ＬＥＤ（２）,ＬＥＤ（３）,ＬＥＤ（４）,…、濃度ムラ補正データ部１１２からの濃度ムラ補正データＣｏｒｒで定められる各ＬＥＤ（１）,ＬＥＤ（２）,ＬＥＤ（３）,ＬＥＤ（４）,…に対する補正値をＡ１,Ａ２,Ａ３,Ａ４,…とする。
本実施の形態のＬＰＨ１４では、隣接する４つのＬＥＤ間、すなわちＬＥＤ（１）とＬＥＤ（２）との間、ＬＥＤ（２）とＬＥＤ（３）との間、ＬＥＤ（３）とＬＥＤ（４）との間、そしてＬＥＤ（４）とＬＥＤ（１）との間において、量子化誤差を繰り越すようにアドレス制御される。その際には、まず、ＬＥＤ（１）が点灯（画像データが１）されるが、そのときＬＥＤ（１）では、補正値Ａ１の整数部ｍ１（Ａ１の上位４ビットに相当）に基づいて、上記した（１）式の第１項により点灯パルス幅を補正する一方で、小数部ｎ１（Ａ１の下位４ビットに相当）については量子化誤差として隣のＬＥＤ（２）へ繰り越される。そして、ＬＥＤ（１）の点灯が終わると、ＬＥＤ（２）が点灯され、ＬＥＤ（２）では、補正値Ａ２とＬＥＤ（１）から繰り越されたｎ１とを加算し、加算結果の整数部ｍ２に基づいて、上記した（１）式の第１項により点灯パルス幅を補正する一方で、加算結果の小数部ｎ２については、量子化誤差として隣のＬＥＤ（３）へ繰り越される。
【００４２】
同様に、ＬＥＤ（２）の点灯が終わると、ＬＥＤ（３）が点灯され、ＬＥＤ（３）では、補正値Ａ３とＬＥＤ（２）から繰り越されたｎ２とを加算し、加算結果の整数部ｍ３に基づいて、上記した（１）式の第１項により点灯パルス幅を補正する一方で、加算結果の小数部ｎ３については、量子化誤差として隣のＬＥＤ（４）へ繰り越される。ＬＥＤ（３）の点灯が終わると、次のＬＥＤ（４）では、補正値Ａ４とＬＥＤ（３）から繰り越されたｎ３とを加算し、加算結果の整数部ｍ４に基づいて、上記した（１）式の第１項により点灯パルス幅を補正する一方で、加算結果の小数部ｎ４については、量子化誤差として隣のＬＥＤ（１）の次の点灯時、すなわち、次のラインでのＬＥＤ（１）の点灯時に繰り越される。
【００４３】
主走査方向に隣接する例えばＬＥＤ（１）〜ＬＥＤ（４）の４画素間で互いに量子化誤差を繰り越しながら点灯パルス幅を補正して、ＳＬＥＤ６３の各ＳＬＥＤチップ（ＣＨＩＰ１〜ＣＨＩＰ５８）において１ライン分の各ＬＥＤの点灯が終了し、１ライン分の画像を形成し終えると、次のラインの画像を形成するための各ＬＥＤの点灯が開始される。次のラインでは、まず、ＬＥＤ（１）が点灯されるが、ＬＥＤ（１）では補正値Ａ１とＬＥＤ（４）から前ライン点灯時に繰り越されたｎ４とを加算し、加算結果の整数部ｍ５に基づいて、上記した（１）式の第１項により点灯パルス幅を補正する。その一方で、加算結果の小数部ｎ５については、量子化誤差として隣のＬＥＤ（２）に繰り越す。ＬＥＤ（１）の点灯が終わると、ＬＥＤ（２）が点灯され、ＬＥＤ（２）では、補正値Ａ２とＬＥＤ（１）から繰り越されたｎ５とを加算し、加算結果の整数部ｍ６に基づいて、上記した（１）式の第１項により点灯パルス幅を補正する一方で、加算結果の小数部ｎ６については、量子化誤差として隣のＬＥＤ（３）へと繰り越される。
【００４４】
次のＬＥＤ（３）において画像データが０（ＯＦＦ）である場合には、補正値Ａ３の入力がなく、ＬＥＤ（２）から繰り越された小数部ｎ６だけでは整数部が表れない。そのため、ＬＥＤ（３）は点灯されず、この小数部ｎ６はそのまま隣のＬＥＤ（４）へ繰り越される。すなわち、ＬＥＤが点灯されない場合には、その時点で当該ＬＥＤ（ここでは、ＬＥＤ（３））に対して繰り越されていた量子化誤差（ここでは、小数部ｎ６）は、隣のＬＥＤ（ここでは、ＬＥＤ（４））に繰り越されるようになっている。そのため、補正誤差の発生を防止することができる。そして、次のＬＥＤ（４）は画像データが１（ＯＮ）であり、点灯が行われるが、そのとき、ＬＥＤ（４）では、補正値Ａ４とＬＥＤ（３）からそのまま繰り越されたｎ６とを加算し、加算結果の整数部ｍ７に基づいて、上記した（１）式の第１項により点灯パルス幅を補正する。さらに、その一方で、加算結果の小数部ｎ７については、量子化誤差として、ＬＥＤ（１）の次のラインの点灯時へと繰り越される。
【００４５】
なお、図９では、主走査方向に隣接する４画素間で量子化誤差を繰り越す場合を例に示したが、量子化誤差を繰り越す近傍画素は、繰越元の画素から所定の範囲内（例えば、視覚により出力ムラを判別できるピッチ以下）にある画素であればよく、主走査方向に隣接する例えば２画素間で量子化誤差を繰り越す場合のような各種の繰越パターンで繰り越すことが可能である。
【００４６】
次に、ＥＥＰＲＯＭ１０２に格納されるＬＰＨ１４の光量補正データＣｏｒｒ_Ｉの測定・算出方法について説明する。上記したように、光量補正データＣｏｒｒ_Ｉは、画像形成時のＳＬＥＤ６３内の各ＬＥＤ毎に生じる光量のバラツキを補正するためのデータであって、濃度ムラ補正データ部１１２において濃度ムラ補正データＣｏｒｒを生成する際に使用されるデータである。
まず、ＬＰＨ１４の露光エネルギ分布（光プロファイル）を測定するための光量計測装置としての光プロファイル測定装置２００について述べる。図１０は、光プロファイル測定装置２００の構成を示した図である。図１０に示したように、光プロファイル測定装置２００は、光量計測センサの一例として、受光面がＬＰＨ１４の発光部（ＳＬＥＤ６３）に対向して設けられ、複数のＣＣＤ（Charge Coupled Device）がライン状に配列されたものが多段に配置されたＴＤＩ−ＣＣＤ(Time Delay Integration-ＣＣＤ)２６１、このＴＤＩ−ＣＣＤ２６１を備えるとともにＴＤＩ−ＣＣＤ２６１からの出力を用いてＬＰＨ１４からの光量分布を測定するＣＣＤボード２７０、ＬＰＨ１４の発光部（ＳＬＥＤ６３）からの光をＴＤＩ−ＣＣＤ２６１面に拡大して結像させる拡大光学系２６０を備えている。
【００４７】
また、光プロファイル測定装置２００は、ＬＰＨ１４のＳＬＥＤ６３が配列された方向（主走査方向）を移動方向としてＣＣＤボード２７０を移動させる移動ステージ２６２、移動ステージ２６２を等速移動させるステージドライバ２６３、ＬＰＨ１４に対して各種動作信号を出力して各ＳＬＥＤ６３を点灯させるＬＰＨドライバＩＦボード２６４を備えている。
また、得られたデータ信号の処理や、移動ステージ２６２の移動制御、ＬＰＨドライバＩＦボード２６４の動作制御等は、処理部であるパーソナルコンピュータ(ＰＣ)２６６にて実行される。すなわち、ＰＣ２６６は、光量データ信号等を取り込むためのフレームグラバーボード２６５、ステージドライバ２６３の駆動を制御するＸ,Ｙ,Ｚモータコントローラ２６７、ＣＣＤボード２７０、ＬＰＨドライバＩＦボード２６４を制御している。
移動ステージ２６２は、例えば、エア軸受とリニアモータを使用した非接触構造を備えており、Ｘ,Ｙ,Ｚモータコントローラ２６７により、リニアエンコーダからのフィードバックによるＰＬＬ制御が行なわれ、ＣＣＤボード２７０の等速移動制御を実現している。
そして、光プロファイル測定装置２００は、ＴＤＩ−ＣＣＤ２６１を有するＣＣＤボード２７０を主走査方向に等速移動させながら、フレームグラバーボード２６５を介して、計測された光量データをデジタル値に変換してＰＣ２６６に取り込んでいる。
【００４８】
拡大光学系２６０は、ＬＰＨ１４のＳＬＥＤ６３から出射される光の波長（７８０ｎｍ）に関して、両側テレセントリックとなる光学系（両側テレセントリック光学系、またはアフォーカル光学系）により構成されている。
図１１は、拡大光学系２６０の構成を説明する図である。図１１に示したように、拡大光学系２６０では、鏡筒Ｋ内にて、焦点距離ｆ１の物側レンズＬｅｎ１と、焦点距離ｆ２の像側レンズＬｅｎ２とが、光軸に沿って、物側レンズＬｅｎ１の像側焦点Ｆ１′と像側レンズＬｅｎ２の物側焦点Ｆ２とが一致するように配置されている。そして、物側レンズＬｅｎ１の像側焦点Ｆ１′と像側レンズＬｅｎ２の物側焦点Ｆ２とが一致する位置に、第１絞りＳ１が配設されている。
また、物側レンズＬｅｎ１の物側焦点Ｆ１は、ＬＰＨ１４のロッドレンズアレイ６４の焦点面Ｑ１（焦点距離ｆ）と一致するように配置されている。そして、物側レンズＬｅｎ１の物側焦点Ｆ１（ロッドレンズアレイ６４の焦点面Ｑ１）位置に、第２絞りＳ２が配設されている。
さらに、ＴＤＩ−ＣＣＤ２６１のセンサ面は、像側レンズＬｅｎ２の像側焦点Ｆ２′位置における光軸と直交する面と一致するように配置されている。なお、像側レンズＬｅｎ２の像側焦点Ｆ２′位置における光軸と直交する面は、拡大光学系２６０の焦点面Ｑ２となる。
【００４９】
このように、拡大光学系２６０を両側テレセントリック光学系で構成することにより、ＬＰＨ１４のＳＬＥＤ６３から照射された光がロッドレンズアレイ６４により集光される際に、焦点面Ｑ１へ入射角θで入射する光は、焦点面Ｑ１での像高ｈに拠らず、拡大光学系２６０の焦点面Ｑ２、すなわちＴＤＩ−ＣＣＤ２６１のセンサ面に対して、入射角αθ（＝θ′：αは定数）で入射する。すなわち、焦点面Ｑ１への入射角θとＴＤＩ−ＣＣＤ２６１のセンサ面への入射角θ′との間に、θ′＝αθという一義的な関係を形成することが可能となる。ここで、入射角とは、光線が光軸となす角度をいう（以下、同様である。）。
【００５０】
ところで、図１２は、ＳＬＥＤ６３の異なる発光点（ＬＥＤ）から出射された光Ｂ１と光Ｂ２の光路をそれぞれ表した図である。図１２に示したように、発光点からロッドレンズアレイ６４に向けて垂直に照射された２つの光Ｂ１,Ｂ２であっても、ロッドレンズアレイ６４がその中心軸の周りに屈折率分布を持つように構成されていることから、ロッドレンズアレイ６４の入射面のどの部分に入射するかにより、その光路は異なる経路を辿ることになる。そのために、光Ｂ１と光Ｂ２とでは、ロッドレンズアレイ６４の焦点面Ｑ１に入射する際の入射角に異なりが生じる。例えば、図１２に示した例では、光Ｂ１は焦点面Ｑ１に対して垂直に入射するのに対し、光Ｂ２は焦点面Ｑ１に対して入射角γで入射する。
なお、ＳＬＥＤ６３の発光点（ＬＥＤ）から出射される光は、実際には図１２の点線で示したような広がりを持って出射され、複数のロッドレンズを通って焦点面Ｑ１に結像される。しかし、図１２では、理解を容易にするため、光強度の最も強い部分（実線）で説明し、光路の違いを明確化した。したがって、焦点面Ｑ１での実際の集光光は、実線の部分が最も光強度が強く、周辺に従って弱くなるような光量分布を有している。
【００５１】
一方、画像形成ユニット１１（図１参照）に設けられた感光体ドラム１２と、ＴＤＩ−ＣＣＤ２６１とでは、光に対する感度(以下、単に「感度」とも記す。)が、入射する光の入射角によって変化するという感度特性（入射光角度依存性）を有している。したがって、同じ光量に設定された光が感光体ドラム１２とＴＤＩ−ＣＣＤ２６１とに照射された場合であっても、その照射される光の入射角が異なれば、感光体ドラム１２と、ＴＤＩ−ＣＣＤ２６１とでは異なる感度を持つこととなる。
【００５２】
そのため、本実施の形態の光プロファイル測定装置２００では、両側テレセントリック光学系で構成された拡大光学系２６０を用いている。上記したように、ロッドレンズアレイ６４の焦点面Ｑ１に入射する光は、その焦点面Ｑ１での像高ｈに拠らず、いずれの入射角θについても、ＴＤＩ−ＣＣＤ２６１のセンサ面において一律に所定の倍率α（定数）で圧縮された入射角αθ（＝θ′）に変換される。そのため、感光体ドラム１２に入射する光の入射角θと、ＴＤＩ−ＣＣＤ２６１のセンサ面に入射する光の入射角θ′とを、一義的に対応付けることが可能となる。
そこで、感光体の感度およびＴＤＩ−ＣＣＤ２６１の感度と、それぞれに入射する光の入射角との関係を示した図１３から容易に理解できるように、拡大光学系２６０において、焦点面Ｑ１に入射された入射角θ（−Ｍ°≦θ≦Ｍ°）の光が、ＴＤＩ−ＣＣＤ２６１のセンサ面において入射角θ′（−ｍ°≦θ≦ｍ°）に変換されるように倍率αを設定すれば、入射角−Ｍ°≦θ≦Ｍ°の範囲の光に関して、感光体ドラム（感光体）１２の感度と、ＴＤＩ−ＣＣＤ（センサ）２６１の感度とを略一致させることが可能となる。
【００５３】
具体的には、感光体ドラム１２にＭ°で入射する光は、拡大光学系２６０によりＴＤＩ−ＣＣＤ２６１のセンサ面においてｍ°で入射する。したがって、感光体ドラム１２での入射角｜θ｜＝Ｍ°の感度と、ラインＣＣＤ２６１での入射角｜θ′｜＝ｍ°の感度とは、図１３より、ともにｑとなり一致する。
また、入射角−Ｍ°＜θ＜Ｍ°の範囲においても、θ′＝αθのリニアな関係があるため、感光体ドラム１２の感度とＴＤＩ−ＣＣＤ２６１の感度とは略一致することとなる。
したがって、この場合、α＝ｍ／Ｍ、すなわち、上記したようにα＝１／βであって、βはβ＝ｆ２／ｆ１であるから、ｆ２／ｆ１＝Ｍ／ｍとなるような関係を有する、焦点距離ｆ１の物側レンズＬｅｎ１と、焦点距離ｆ２の像側レンズＬｅｎ２とを用いた両側テレセントリックな拡大光学系２６０により、入射角−Ｍ°≦θ≦Ｍ°の範囲の光に関して、感光体ドラム（感光体）１２の感度特性（入射光角度依存性）と、ＴＤＩ−ＣＣＤ（センサ）２６１の感度特性とを略一致させることができることとなる。
なお、実際の画像形成装置において感光体ドラム１２に入射する光の入射角θの最大値θＭＡＸは、θＭＡＸ＝２３°であるので、Ｍ＝２３°に設定することが好ましい。
【００５４】
これにより、本実施の形態の光プロファイル測定装置２００では、感光体ドラム１２の感度特性に対応した光量補正データＣｏｒｒ_Ｉを生成することが可能となる。特に、各ＳＬＥＤチップ（ＣＨＩＰ１〜ＣＨＩＰ５８）が交互に千鳥状に配置されているＬＰＨ１４においても、感光体ドラム１２の感度特性に対応した光量補正データＣｏｒｒ_Ｉを生成することができる。
そのため、かかる光量補正データＣｏｒｒ_ＩによりＬＰＨ１４の光量が補正されることで、実際の画像形成装置において感光体ドラム１２がＬＰＨ１４により露光されて静電潜像が形成される際において、所定の潜像電位を得るために想定される光量と実際にＬＰＨ１４から照射される光量とを略一致させることができる。その結果、所定の光量に対して所望の潜像電位を得ることができ、適正な画像濃度および画像階調性を実現することが可能となる。
【００５５】
次に、本実施の形態の光プロファイル測定装置２００に用いられるＴＤＩ−ＣＣＤ２６１について説明する。図１４は、（ａ）がＴＤＩ−ＣＣＤ２６１の構造を説明する平面図であり、（ｂ）が光量測定時の動作を説明する図である。
図１４（ａ）に示したように、ＴＤＩ−ＣＣＤ２６１は、センサ部と水平レジスタ部とで主要部が構成され、センサ部は、例えば長手方向に１０２４ｐｉｘｅｌ、短手方向に１２８ｐｉｘｅｌのＣＣＤチップが配列された平面構造を有している。そして、光プロファイル測定装置２００の移動ステージ２６２の移動に従って、短手方向がＬＰＨ１４の主走査方向に向けて移動しながら、ＬＰＨ１４の各発光点（ＬＥＤ）の光プロファイルを計測する。
【００５６】
したがって、ＴＤＩ−ＣＣＤ２６１は、ＬＰＨ１４の主走査方向に１２８段並んだ副走査方向１０２４ｐｉｘｅｌのＣＣＤが各発光点（ＬＥＤ）の光プロファイルを計測することとなる。その際に、ＴＤＩ−ＣＣＤ２６１は、図１４（ｂ）に示したように、（１）まず第１段目の１０２４ｐｉｘｅｌのＣＣＤ各々がＬＰＨ１４からの光を受光して、領域Ｒの光量を計測すると、（２）第１段目のＣＣＤにより計測された光量データは、第２段目のＣＣＤに転送される。そして、（３）第２段目の１０２４ｐｉｘｅｌのＣＣＤ各々が、再び、第１段目のＣＣＤが計測した領域Ｒの光量を計測する。したがって、第２段目のＣＣＤでは、第１段目のＣＣＤにより計測された光量データに、第２段目のＣＣＤにより計測された光量データが積算された光量データが生成される。
【００５７】
引き続いて、（４）第１段目の光量データと第２段目の光量データとが積算された光量データは、第３段目のＣＣＤに転送される。そして、さらに、（５）第３段目の１０２４ｐｉｘｅｌのＣＣＤ各々が、再び領域Ｒの光量を計測する。したがって、第３段目のＣＣＤには、第１段目の光量データと第２段目の光量データとが積算された光量データに、第３段目のＣＣＤにより計測された光量データが積算された光量データが生成される。そして、（６）第１段目〜第３段目の光量データが積算された光量データは、第４段目のＣＣＤに転送される。
このようにして、１２８段目の副走査方向に並んだ１０２４ｐｉｘｅｌ各々には、１２８段の光量データが積算された光量データが生成される。そして、副走査方向の１０２４ｐｉｘｅｌ各々での１２８段積算された光量データは、水平レジスタ部に送られ、水平レジスタ部から順にＣＣＤボード２７０に送信される。
【００５８】
このように、本実施の形態のＴＤＩ−ＣＣＤ２６１は、主走査方向の各領域（例えば、図１４（ｂ）での領域Ｒ）について、主走査方向に形成された段数（ここでは、１２８段）の回数だけの光量計測を行うこととなる。それにより、本実施の形態のように、点灯時間制御・駆動部１１８において、上記した（１）式により補正しきれない補正量分（小数部）を量子化誤差として近傍の画素へ繰り越し、それによる光量補正によって、濃度ムラ補正データＣｏｒｒの分解能を維持した高精度な光量補正を可能とするＬＰＨ１４について、濃度ムラ補正データＣｏｒｒの分解能と同じ精度で、かつ高速に各ＬＥＤの光量を計測することが可能となる。以下、この点について説明する。
【００５９】
光プロファイル測定装置２００では、光量補正データＣｏｒｒ_Ｉが設定された場合には、例えば次の（２）式に示した点灯パルス幅（計測時点灯パルス幅）がＬＥＤに設定された際の光量が計測される。
計測時点灯パルス幅＝ＢＡＳＥ・（１＋Ｃｏｒｒ_Ｉ／１２８）          ……（２）
ここで仮に、例えば光量補正データＣｏｒｒ_Ｉ＝１２０が設定されたとする。そうすると、（２）式は、次の（２′）式となる。
計測時点灯パルス幅＝ＢＡＳＥ・（１＋１２０／１２８）            ……（２′）
（２′）式では、（１＋１２０／１２８）＝１．９３７５であるので、ＢＡＳＥ（基準パルス幅）の１単位に満たない小数部（０．９３７５の部分）の点灯は不安定であること等から、１．９３７５×ＢＡＳＥの点灯パルス幅での光量を１回の点灯で正確に計測することは難しい。
ところが、これを例えば１２８回点灯させて計測すれば、
ＢＡＳＥ・（１＋１２０／１２８）×１２８＝ＢＡＳＥ・（１２８＋１２０）
となり、ＢＡＳＥの整数倍の点灯パルス幅での光量を計測することとなる。そのため、安定した点灯を実現でき、光量補正データＣｏｒｒ_Ｉ＝１２０での正確な光量を計測することができる。
【００６０】
一般に、（２）式による計測時点灯パルス幅で１２８回だけＬＥＤを点灯させた場合には、計測される光量は、設定された光量補正データＣｏｒｒ_Ｉについて、点灯パルス幅ＢＡＳＥ・（１２８＋Ｃｏｒｒ_Ｉ）に設定されたＬＥＤによる光量となる。ここで、１２８・ＢＡＳＥは一定であるから、計測された光量から点灯パルス幅１２８・ＢＡＳＥ分の光量を差し引いた光量、すなわち点灯パルス幅ＢＡＳＥ・Ｃｏｒｒ_Ｉ分の光量が容易に求められる。したがって、１２８回だけＬＥＤを点灯させることで、光量補正データＣｏｒｒ_Ｉの分解能での光量計測を行うことが可能となる。
このように、光量補正データＣｏｒｒ_Ｉの分解能での光量計測を行うには、ＢＡＳＥ（基準パルス幅）の１単位に満たない小数部（量子化誤差）が生じない回数の点灯、すなわち、量子化誤差分の光量が基準パルス幅の少なくとも１単位に積算された状態で光量計測を行う必要がある。
本実施の形態のＬＰＨ１４において、光量補正データＣｏｒｒ_Ｉとして０〜２５５（８ビット）の値が設定されるとすれば、（１＋Ｃｏｒｒ_Ｉ／１２８）を必ず整数とする１２８×Ｎ（Ｎ：正の整数）回の点灯を行わせることで、８ビットの分解能で光量を計測することができることとなる。
【００６１】
上記のように、光量補正データＣｏｒｒ_Ｉと同等レベルの分解能での高精度な光量計測を行うには、（２）式で点灯パルス幅が規定される場合には、上記したように、１２８×Ｎ回ＬＥＤを点灯させただけの光量を計測する必要が生じることとなる。ところが、光量計測センサとして、ＣＣＤが１段だけ配列された通常のラインＣＣＤセンサを用いると仮定した場合には、ＣＣＤが１段であるラインＣＣＤセンサの受光面毎に、ＬＰＨ１４のＳＬＥＤ６３の各ＬＥＤを１２８×Ｎ回点灯させる必要がある。その場合には、ＣＣＤ１段のチップサイズをＬ、ＬＰＨ１４におけるＳＬＥＤ６３を点灯する際の水平同期信号（ＨＳＹＮＣ）の周期をＴ、Ｎ＝１とすると、ラインＣＣＤセンサの移動速度は、次の（３）式のようになる。
ラインＣＣＤセンサの移動速度＝Ｌ／（Ｔ×１２８）                  ……（３）
【００６２】
これに対して、本実施の形態のＴＤＩ−ＣＣＤ２６１を用いれば、ＣＣＤが１２８段であるＴＤＩ−ＣＣＤ２６１の受光面毎に、ＬＰＨ１４のＳＬＥＤ６３の各ＬＥＤを１２８×Ｎ回点灯させればよい。この場合には、ＴＤＩ−ＣＣＤ２６１のチップサイズは１２８Ｌとなる。そのため、本実施の形態のＴＤＩ−ＣＣＤ２６１の移動速度は、次の（４）式のようになる。
ＴＤＩ−ＣＣＤ２６１の移動速度＝１２８Ｌ／（Ｔ×１２８）          ……（４）
したがって、（３）式および（４）式より、
ＴＤＩ−ＣＣＤ２６１の移動速度／ラインＣＣＤセンサの移動速度＝１２８
となり、ＴＤＩ−ＣＣＤ２６１を用いることにより、通常のラインＣＣＤセンサの１２８倍、すなわちＴＤＩ−ＣＣＤ２６１の主走査方向に配置されたＬＥＤの段数倍で、高速に光量計測を行うことができる。
具体的には、Ｌ＝１３μｍ、Ｔ＝５０μｓｅｃとして、（４）式より、ＴＤＩ−ＣＣＤ２６１の移動速度は、２６ｍｍ／ｓｅｃとなる。したがって、Ａ３サイズのＬＰＨ１４（長さ３２０ｍｍ）を計測するには、１２．３秒で済むこととなる。
このように、ＴＤＩ−ＣＣＤ２６１を用いることで、光量補正データＣｏｒｒ_Ｉと同等レベルの分解能での高精度な光量計測を、格段に高速に行うことができる。
【００６３】
ここで、本実施の形態の光プロファイル測定装置２００において、上記した高精度かつ高速な光量計測を可能とするには、次の条件を満たすことが必要となる。すなわち、
（ｉ）ＴＤＩ−ＣＣＤ２６１の主走査方向に配置されたＬＥＤの段数は、ＬＥＤに設定される点灯パルス幅に量子化誤差を生じさせないような点灯回数と一致させる。具体的には、本実施の形態のＬＰＨ１４においては、（１＋Ｃｏｒｒ_Ｉ／１２８）を必ず整数とする１２８×Ｎ（Ｎ：正の整数）の点灯回数と一致させる。それにより、各ＬＥＤの光量を計測する際に、ＴＤＩ−ＣＣＤ２６１を移動させながら、各ＬＥＤの光プロファイルの各領域（例えば、図１４（ｂ）での領域Ｒ）毎に、必ず１２８×Ｎ回の点灯分の光量を計測するので、各ＬＥＤ毎に１２８×Ｎ回の点灯分の光量を計測することができる。
（ｉｉ）ＴＤＩ−ＣＣＤ２６１の水平同期信号の周期は、ＬＨＰ１４のＳＬＥＤ６３の水平同期信号の周期のＮ倍（Ｎ：正の整数）に設定する。それにより、ＴＤＩ−ＣＣＤ２６１の各段での光量計測時に、ＬＥＤが必ずＮ回だけ点灯することとなるので、各段での照射光量が均一となり、正確な光量計測が可能となる。
この場合に、ＴＤＩ−ＣＣＤ２６１の水平同期信号と、ＬＨＰ１４のＳＬＥＤ６３の水平同期信号とを同期させる。
【００６４】
また、ＴＤＩ−ＣＣＤ２６１の各段が、ＴＤＩ−ＣＣＤ２６１の水平同期信号の１周期中に、ＬＥＤの位置に対して相対的に１段だけ移動するように設定すれば、各ＬＥＤの光プロファイルを重複なく計測することができる。それにより、計測時間の短縮化がさらに図れる。そのため、ＬＰＨ１４とＴＤＩ−ＣＣＤ２６１との相対移動速度Ｓは、ＴＤＩ−ＣＣＤ２６１の計測分解能をｓ、ＴＤＩ−ＣＣＤ２６１の水平同期信号の周期をＴｃとして、Ｓ＝ｓ／Ｔｃに設定するのが好ましい。
【００６５】
続いて、本実施の形態の光プロファイル測定装置２００により、光量補正データＣｏｒｒ_Ｉを生成する際の処理について述べる。図１５は、光量補正データＣｏｒｒ_Ｉを生成する際の処理の全体の流れを示すフローチャートである。なお、光量補正データ生成処理を行うに際して、予め、光プロファイル測定装置２００に、画像形成装置に使用するＬＰＨ１４がホルダー部材（図示省略）によって保持されて、所定位置にセットされる。
【００６６】
図１５に示したように、まず、光プロファイル測定装置２００では、ＴＤＩ−ＣＣＤ２６１に関するシェーディング補正が行われる（Ｓ１０１）。このシェーディング補正では、積分球が用いられる。すなわち、積分球をＯＦＦした状態で、ＴＤＩ−ＣＣＤ２６１の出力値を計測し、その計測値からブラックレベル補正値を演算して、ブラックレベル補正値を求める。次に、拡大光学系２６０に対して積分球から光を入射させる。そして、ＴＤＩ−ＣＣＤ２６１の出力値を計測し、その計測値からシェーディング補正を演算して、シェーディング補正を求める。この場合の積分球に用いる光源としては、ＬＰＨ１４に配設されたＳＬＥＤ６３のＬＥＤと同一のＬＥＤ（波長７８０ｎｍ）が使用される。また、積分球から拡大光学系２６０に入射される光の入射角の最大値は、実際の光プロファイル測定装置２００において、ＬＰＨ１４から拡大光学系２６０に入射される入射角の最大値である２３°となるように設定される。
【００６７】
次に、ＬＰＨ１４を４ｏｎ４ｏｆｆで点灯させた状態での光量補正データＣｏｒｒ_Ｉ１を生成する（Ｓ１０２）。
ここで、４ｏｎ４ｏｆｆ点灯とは、図１６に示したように、ＬＰＨ１４のＳＬＥＤ６３に配列されたＬＥＤアレイにおいて、隣り合う連続した４つのＬＥＤを点灯し、さらにそれに連続する隣り合う４つのＬＥＤを消灯させる点灯形態をいう。このように、ＬＰＨ１４を４ｏｎ４ｏｆｆ点灯するのは、全灯させると、全体の光量が大きくなり過ぎるために、各ＬＥＤによる光量のピークと谷の座標点を正確に測定し難いからである。なお、各ＬＥＤの点灯／消灯が交互に設定された形態であれば、４ｏｎ４ｏｆｆ点灯のほか、２ｏｎ２ｏｆｆ点灯等を用いることもできる。
このステップ１０２での光量補正データＣｏｒｒ_Ｉ１を生成するに際しては、（２）式に設定する光量補正データＣｏｒｒ_Ｉとして、１２８を用いる。すなわち、計測時点灯パルス幅を２・ＢＡＳＥ（基準パルス幅の２倍の点灯パルス幅）と設定して、各ＬＥＤを点灯させる。
【００６８】
引き続いて、ステップ１０２で生成された光量補正データＣｏｒｒ_Ｉ１を用いて、再度４ｏｎ４ｏｆｆで点灯させた状態で、光量補正データＣｏｒｒ_Ｉ２を生成する（Ｓ１０３）。これは、ステップ１０２による１度だけで求めた光量補正データＣｏｒｒ_Ｉ１では、正確に光量補正を行うことができない場合もあることから、ステップ１０２で生成された光量補正データＣｏｒｒ_Ｉ１を微調整する意味合いを有するステップである。
したがって、（２）式により設定される計測時点灯パルス幅は、以下の（５）式で表される。
計測時点灯パルス幅＝ＢＡＳＥ・（１＋Ｃｏｒｒ_Ｉ１／１２８）        ……（５）
この場合には、上記したように、ＢＡＳＥの１単位に満たない小数部（Ｃｏｒｒ_Ｉ１／１２８の小数部）の点灯は不安定であること等から、正確な光量を計測するために、（１＋Ｃｏｒｒ_Ｉ１／１２８）を必ず整数とする１２８×Ｎ（Ｎ：正の整数）回の点灯を行わせた状態の積算光量を計測する。ここでは、１２８回の点灯を行うものとする。
このように、１２８回の点灯を行いながら光量を計測する場合にも、上記したように、ＴＤＩ−ＣＣＤ２６１を用いることによって高速に光量計測することができる。
【００６９】
次に、ＬＰＨ１４を４ｏｆｆ４ｏｎで点灯させた状態での光量補正データＣｏｒｒ_Ｉ３を生成する（Ｓ１０４）。
さらに、ステップ１０３と同様の趣旨で、ステップ１０４で生成された光量補正データＣｏｒｒ_Ｉ３を用いて、再度４ｏｆｆ４ｏｎで点灯させた状態で、光量補正データＣｏｒｒ_Ｉ４を生成する（Ｓ１０５）。
そして、ステップ１０３にて生成された光量補正データＣｏｒｒ_Ｉ２と、ステップ１０５にて生成された光量補正データＣｏｒｒ_Ｉ４とをＬＰＨ１４におけるＬＥＤの配列順序に合わせた並べ替えを行って、ＬＰＨ１４のすべてのＬＥＤの光量補正データＣｏｒｒ_Ｉとして合成する。そして、これをＬＰＨ１４の光量補正データＣｏｒｒ_Ｉとしてメモリ（ＥＥＰＲＯＭ１０２）に記憶する（Ｓ１０６）。
【００７０】
続いて、ステップ１０２〜ステップ１０５の各ステップでの光量補正データＣｏｒｒ_Ｉの生成処理について述べる。図１７は、一例としてステップ１０３における光量補正データＣｏｒｒ_Ｉ２を生成する際の処理の流れを示すフローチャートである。
ＰＣ２６６は、ＬＰＨドライバＩＦボード２６４に対し、ＬＰＨ１４を４ｏｎ４ｏｆｆで点灯するように指示する制御信号を出力する。それにより、ＬＰＨドライバＩＦボード２６４は、ＬＰＨ１４を４ｏｎ４ｏｆｆで点灯させる（Ｓ２０１）。
ここで、ＬＰＨドライバＩＦボード２６４は、光量補正データとして、ステップ１０２で生成された光量補正データＣｏｒｒ_Ｉ１を送る。また、基準パルス幅ＢＡＳＥを生成するための基準クロック信号、ＬＰＨ１４の点灯タイミングを制御する水平同期信号（ＨＳＹＮＣ）を送信する。
【００７１】
次に、ＰＣ２６６は、Ｘ,Ｙ,Ｚモータコントローラ２６７を介してステージドライバ２６３に対して、移動ステージ２６２を移動させるための制御信号を出力して、ＣＣＤボード２７０および拡大光学系２６０をＳＬＥＤ６３の配列方向（主走査方向）に等速移動させる（Ｓ２０２）。
さらに、ＰＣ２６６は、ＣＣＤボード２７０に対してＬＰＨ１４の光量分布の測定を指示する制御信号を出力する。そして、ＣＣＤボード２７０は、ＴＤＩ−ＣＣＤ２６１によってＬＰＨ１４の光量分布を計測する（Ｓ２０３）。その際に、ＴＤＩ−ＣＣＤ２６１は、ＬＰＨドライバＩＦボード２６４からＬＰＨ１４に送信される水平同期信号（ＨＳＹＮＣ）を同時に受け取り、ＴＤＩ−ＣＣＤ２６１の計測タイミングとＬＰＨ１４の点灯タイミングとの同期が図られる。すなわち、ここでは、上記した（ｉｉ）の条件のＮ＝１と設定している。
【００７２】
次に、ＰＣ２６６は、ＣＣＤボード２７０から、ステップ２０３で計測された光量分布データを取得する。そして、図１８に示したように、光量分布データに関して、主走査方向の各座標位置（ｘ）における副走査方向（ｙ）の積分値を算出し、主走査方向（ｘ）での光量分布（光プロファイル）を得る（Ｓ２０４）。
【００７３】
続いて、ＰＣ２６６は、ステップ２０４で算出された光プロファイルについて、主走査方向（ｘ）のピーク位置と谷位置とを検出する。そして、光プロファイルにおける谷から谷までの光量を積分し、この積分値を谷から谷までの距離で割算することで谷と谷との間の領域の光量（露光エネルギ）密度を算出する。このようにして求められた各領域の露光エネルギ密度を各発光点（ＬＥＤ）の補正特性値（％）（図１９参照）とする（Ｓ２０５）。
さらに、ＰＣ２６６は、この補正特性値を所定の目標値に合わせるように、目標値との誤差分に応じて光量を増減することで、すべての領域における補正特性値（％）がフラット（平坦）になるようにする。このような平坦化処理により、各領域毎の光量補正値、すなわち各ＬＥＤについての光量補正値が算出される（Ｓ２０６）。
そして、ＰＣ２６６は、算出された各ＬＥＤについての光量補正値を光量補正データＣｏｒｒ_Ｉとして生成する（Ｓ２０７）。
【００７４】
以上説明したように、本実施の形態の光プロファイル測定装置２００では、光量計測センサとしてＴＤＩ−ＣＣＤ２６１を用い、ＴＤＩ−ＣＣＤ２６１の主走査方向に配置されたＬＥＤの段数は、量子化誤差が生じない点灯回数と一致させている。また、ＴＤＩ−ＣＣＤ２６１の水平同期信号の周期は、ＬＨＰ１４のＳＬＥＤ６３の水平同期信号の周期のＮ倍（Ｎ：正の整数）に設定している。それにより、各ＬＥＤの光量を濃度ムラ補正データＣｏｒｒの分解能と同じ精度で、かつ高速に光量計測を行うことが可能となる。
【図面の簡単な説明】
【００７５】
【図１】本実施の形態にて測定対象となる露光装置（プリントヘッド）が用いられた画像形成装置の全体構成を示した図である。
【図２】ＬＥＤプリントヘッド(ＬＰＨ)の構成を示した図である。
【図３】ＬＥＤ回路基板の平面図である。
【図４】ＬＥＤ回路基板上に形成されている配線の一部を示した図である。
【図５】信号発生回路の構成を示すブロック図である。
【図６】基準クロック発生部の構成を説明するブロック図である。
【図７】点灯時間制御・駆動部の構成を説明するブロック図である。
【図８】補正演算部の構成を説明するブロック図である。
【図９】量子化誤差が近傍の画素へ繰り越される形態の一例を示した図である。
【図１０】光プロファイル測定装置の構成を示した図である。
【図１１】拡大光学系の構成を説明する図である。
【図１２】ＳＬＥＤの異なるＬＥＤから出射された光Ｂ１と光Ｂ２の光路をそれぞれ表した図である。
【図１３】感光体の感度およびＴＤＩ−ＣＣＤの感度と、それぞれに入射する光の入射角との関係を示した図である。
【図１４】（ａ）ＴＤＩ−ＣＣＤの構造を説明する平面図であり、（ｂ）光量測定時の動作を説明する図である。
【図１５】光量補正データＣｏｒｒ_Ｉを生成する際の処理の全体の流れを示すフローチャートである。
【図１６】４ｏｎ４ｏｆｆの点灯形態を説明する図である。
【図１７】光量補正データＣｏｒｒ_Ｉを生成する際の処理の流れを示すフローチャートである。
【図１８】光量分布データの積分の方向を説明する図である。
【図１９】補正特性値を説明する図である。
【符号の説明】
【００７６】
１０…画像形成プロセス部、１１（１１Ｙ,１１Ｍ,１１Ｃ,１１Ｋ）…画像形成ユニット、１２…感光体ドラム、１４…ＬＥＤプリントヘッド(ＬＰＨ)、３０…制御部、４０…画像処理部、６２…ＬＥＤ回路基板、６３…自己走査型ＬＥＤアレイ（ＳＬＥＤ）、６４…ロッドレンズアレイ、１００…信号発生回路、１０２…ＥＥＰＲＯＭ、１１０…画像データ展開部、１１２…濃度ムラ補正データ部、１１４…タイミング信号発生部、１１６…基準クロック発生部、１１８−１〜１１８−５８…点灯時間制御・駆動部、１８０…補正演算部、１８２…量子化誤差繰越用メモリ、２００…光プロファイル測定装置、２６０…拡大光学系、２６１…ＴＤＩ−ＣＣＤ
【図１】
2008175756.tif 000003
【図２】
2008175756.tif 000004
【図３】
2008175756.tif 000005
【図４】
2008175756.tif 000006
【図５】
2008175756.tif 000007
【図６】
2008175756.tif 000008
【図７】
2008175756.tif 000009
【図８】
2008175756.tif 000010
【図９】
2008175756.tif 000011
【図１０】
2008175756.tif 000012
【図１１】
2008175756.tif 000013
【図１２】
2008175756.tif 000014
【図１３】
2008175756.tif 000015
【図１４】
2008175756.tif 000016
【図１５】
2008175756.tif 000017
【図１６】
2008175756.tif 000018
【図１７】
2008175756.tif 000019
【図１８】
2008175756.tif 000020
【図１９】
2008175756.tif 000021